(57)【要約】【課題】  エアゾール缶への装着、取外しが容易に行え、少ない設置スペースで長期間に亘って使用することができるエアゾール缶の自動噴霧装置を提供する。【解決手段】  エアゾール缶１の上部に着脱自在に装着され、モータ３０により回転される駆動カム３２の突部３３により噴霧ノズル５を押圧して内蔵された内容物を噴霧させる自動噴霧装置１０は、エアゾール缶１の外径と略等しい外径を有する円筒状を基本形状とした外装ケース部４０を備えており、エアゾール缶１の噴霧ノズル５外周の圧着リング部３に取付爪２６を係合して装着される。噴霧ノズル５は、その噴霧方向を上方から側方に変更する噴霧治具６を備え、駆動カム３２は水平方向に回転し、下方に突出する突部３３で噴霧ノズルを押圧する。【選択図】  図３
2005081223.tif 000002
【特許請求の範囲】
【請求項１】
エアゾール缶の上部に着脱自在に装着され、モータにより減速機構を介して回転される駆動カムの突部により噴霧ノズルを直接的または間接的に押圧して内蔵された内容物を噴霧させる自動噴霧装置であって、
該装置は、前記エアゾール缶の外径と略等しい外径を有する円筒状を基本形状としており、該エアゾール缶の噴霧ノズル外周の圧着リング部に係合して装着されることを特徴とするエアゾール缶の自動噴霧装置。
【請求項２】
前記噴霧ノズルは、その噴霧方向を上方から側方に変更する噴霧治具を備え、前記駆動カムは水平方向に回転し、下方に突出する前記突部で前記噴霧治具を押圧することを特徴とする請求項１に記載のエアゾール缶の自動噴霧装置。
【請求項３】
前記駆動カムは、その回転中心を中心とする円周軌道上に、低レベルカム面から突出する高レベルカム面と、該高レベルカム面と前記低レベルカム面とを接続する傾斜カム面とを有する前記突部を備え、前記高レベルカム面に前記噴霧治具が対接している間前記内容物を噴霧させることを特徴とする請求項２に記載のエアゾール缶の自動噴霧装置。
【請求項４】
前記駆動カムは、その回転方向において、低レベルカム面から高レベルカム面へ移行する傾斜カム面は緩やかな勾配を有し、高レベルカム面から低レベルカム面へ移行する傾斜カム面は急な勾配を有することを特徴とする請求項３に記載のエアゾール缶の自動噴霧装置。
【発明の詳細な説明】
【技術分野】
【０００１】
本発明は、エアゾール缶の内容物を自動的に噴霧する装置に係り、特に、簡単な構成で操作が容易であり、エアゾール缶の上部に容易に着脱でき、例えば所定時間間隔毎に殺虫剤や芳香剤を噴霧することができるエアゾール缶の自動噴霧装置に関する。
【背景技術】
【０００２】
従来、この種のエアゾール缶に内蔵された殺虫剤等を噴霧する技術として、特許文献１に記載の飛翔害虫の防除方法で使用される自動噴霧装置本体は、エアゾールと、自動噴霧装置本体とから構成され、自動噴霧装置本体にはモータ及びモータの駆動力を上下動に変換し、該上下動をエアゾールの押釦に連動するための駆動力変換装置が配設されている。駆動力変換装置はモータによる回転運動を上下運動に変換するためのものである。
【特許文献１】特開２００２−２２０３０１号公報（段落［００２９］〜［００３１］、図１）
【発明の開示】
【発明が解決しようとする課題】
【０００３】
ところで、前記構造の飛翔害虫の防除方法で使用される自動噴霧装置本体は、外形形状がエアゾール缶より大きく、エアゾールを支持するエアゾール支持板及び受台が配設されており、装置本体が大型になるという問題点があった。また、エアゾールの装着は装置本体内に収容するため装着操作が煩雑であり、使用済のエアゾールの取外しも容易に行うことができず操作が煩雑となっていた。
【０００４】
本発明は、このような問題に鑑みてなされたものであって、その目的とするところは、エアゾール缶への装着、取外しが容易に行え、装置自体を小型化できて設置スペースを少なくできるエアゾール缶の自動噴霧装置を提供することにある。また、設置スペースが小さいので、どこでも容易に設置できると共に、噴霧動作が安定し長期間に亘って使用することができるエアゾール缶の自動噴霧装置を提供することにある。
【課題を解決するための手段】
【０００５】
前記目的を達成すべく、本発明に係るエアゾール缶の自動噴霧装置は、エアゾール缶の上部に着脱自在に装着され、モータにより減速機構を介して回転される駆動カムの突部により噴霧ノズルを直接的または間接的に押圧して内蔵された内容物を噴霧させる装置であって、この装置は、前記エアゾール缶の外径と略等しい外径を有する円筒状を基本形状としており、該エアゾール缶の噴霧ノズル外周の圧着リング部に係合して装着されることを特徴とする。圧着リング部の外周に係合する複数の取付爪を備えると好ましい。駆動カムの突部は噴霧ノズルを直接的に押圧してもよく、噴霧治具等を介して間接的に押圧してもよい。
【０００６】
前記のごとく構成された本発明のエアゾール缶の自動噴霧装置は、該エアゾール缶の噴霧ノズル外周の圧着リング部に、例えば取付爪を係合させて着脱自在に装着され、その外径がエアゾール缶の外径と略等しく形成されているため、エアゾール缶の上部にコンパクトに取付けることができ、設置スペースを小さくすることができる。しかも、エアゾール缶への装着や取外しが容易に行える。
【０００７】
また、本発明に係るエアゾール缶の自動噴霧装置の好ましい具体的な態様としては、前記噴霧ノズルは、その噴霧方向を上方から側方に変更する噴霧治具を備え、駆動カムは水平方向に回転し、下方に突出する突部で噴霧治具を押圧することを特徴とする。この構成によれば、水平方向に回転する駆動カムから下方に突出する突部で噴霧ノズルを噴霧治具を介して上方から押圧して側方に噴霧するため、噴霧させる機構部を扁平にして小型化できる。
【０００８】
さらに、本発明に係るエアゾール缶の自動噴霧装置の好ましい具体的な他の態様としては、前記駆動カムは、その回転中心を中心とする円周軌道上に、低レベルカム面から突出する高レベルカム面と、この高レベルカム面と低レベルカム面とを接続する傾斜カム面とを有する突部を備え、高レベル面に噴霧ノズルが対接している間内容物を噴霧させることを特徴とする。この構成によると、モータの回転で駆動カムを回転させ、高レベルカム面によりエアゾール缶の噴霧治具を押し込んで缶に内蔵された内容物を噴霧することができる。高レベルカム面を長くすることで噴霧ノズルを押し込む時間を長くして噴霧量を増大させることができ、高レベルカム面が噴霧治具から離れ、噴霧治具と低レベルカム面とが対向することで噴霧を停止できる。このようにして、噴霧時間や噴霧間隔、噴霧量を変更することが容易に行える。
【０００９】
本発明に係るエアゾール缶の自動噴霧装置は、前記駆動カムの低レベルカム面から高レベルカム面へ移行する傾斜カム面は緩やかな勾配を有し、高レベルカム面から低レベルカム面へ移行する傾斜カム面は急な勾配を有することが好ましい。この構成によれば、噴霧治具は緩やかな勾配の傾斜カム面で徐々に押されて内容物を噴霧するため噴霧動作が安定し、モータのトルクが小さくても安定して噴霧でき、噴霧後に急な勾配の傾斜カム面で噴霧が停止するため停止動作を速やかに行うことができ噴霧動作が安定する。
【発明の効果】
【００１０】
以上のように、本発明によれば、自動噴霧装置をエアゾール缶の上部に容易に装着できると共に、取外しも容易であり、設置スペースを少なくすることができる。また、自動噴霧装置はエアゾール缶の上部に装着され、その外径がエアゾール缶の外径と略同じに構成され円筒状を基本形状としているため、容易に持ち運べて操作性に優れている。さらに、簡単な構成で、小型化することができ、内容物を安定した状態で噴霧することができる。そして、小径の圧着リング部に装着するように構成したので、外径の異なるエアゾール缶にも装着することができる。
【発明を実施するための最良の形態】
【００１１】
以下、本発明に係るエアゾール缶の自動噴霧装置の一実施形態を図面に基づき詳細に説明する。まず、図１を参照してエアゾール缶１について説明する。図１は、エアゾール缶を示し、（ａ）は要部斜視図、（ｂ）は要部断面図、（ｃ）は噴霧ノズルに噴霧治具を取付けた要部斜視図である。
【００１２】
図１において、エアゾール缶１は金属製の上方が開口し下方が閉塞された円筒状の容器２を備えており、上部開口に縮径された圧着リング部３を有する蓋体４が外周をかしめて圧着され、蓋体４の中心には噴霧ノズル５が突出している。圧着リング部３は、蓋体４に内蓋４ａをかしめることにより小径に形成され、下方の全周に段差部３ａが形成されている。エアゾール缶１の内部には、内容物として殺虫剤や芳香剤、忌避材等の液体が注入され、高圧状態が保たれている。噴霧ノズル５は下方に押し込むことができる構成で上方に付勢されており、噴霧ノズル５を押し込むと内部の液体が噴霧され、押し込みを開放すると上方に突出して噴霧が停止する構成となっている。エアゾール缶１自体は外径が６６ｍｍ程度の通常の構成であり、特徴とする点は特に無い。
【００１３】
エアゾール缶１の噴霧ノズル５の先端には、噴霧方向を変更する噴霧治具６が圧入状態に固定されている。この噴霧治具６は噴霧ノズル５に圧入状態で固定される基体６ａと、この基体の側面から突出して回転する回転体６ｂと、この回転体と直交するように連結され揺動可能の揺動体６ｃと、この揺動体に連結された噴霧パイプ部６ｄとを備えており、各部材の中心にはガスや液体が流通できる通路が形成されている。基体６ａの頂部には、後述する駆動カムの突部が対接する作動突部７が突出している。この作動突部は球面の一部であると好ましい。このように構成された噴霧治具６により、通常のエアゾール缶１の噴霧方向が上方であるのに対し、回転体６ｂを回転させ、揺動体６ｃを揺動させることで噴霧方向を任意の方向に変更することができる。
【００１４】
つぎに、自動噴霧装置１０について詳細に説明する。図２は本実施形態に係るエアゾール缶の自動噴霧装置の正面図、側面図、及び平面図、図３は、自動噴霧装置をエアゾール缶から外した状態の内部構造を示す要部斜視図、図４は、自動噴霧装置をエアゾール缶に装着した状態の斜視図、図５は自動噴霧装置をエアゾール缶に装着した状態の内部構造を示す要部断面図である。なお、図３の減速輪列の一部は省略して表現している。
【００１５】
図２〜５において、自動噴霧装置１０は、基本的には電源部１１を含む機構部２０と、電源部と機構部を収容する外装ケース部４０とから構成され、外装ケース部はエアゾール缶１の外径と略等しい外径を有する円筒状を基本形状としている。先ず、自動噴霧装置１０の中心部である機構部２０の上部に位置する電源部１１について説明する。電源部１１は、駆動回路を構成する基板１２と、この基板の上部に位置する電池ホルダ１３とを備えており、機構部２０の上板２１上に基板１２が固定され、その上部に電池ホルダ１３が固定されている。電池ホルダ１３はレバー式の電源スイッチ１４を備えており、レバーを揺動させて電源を入れ、噴霧動作を行わせるものである。
【００１６】
基板１２上にはＩＣチップや電気素子（共に図示せず）が固定され、本実施形態では所定の噴霧時間間隔で信号を発生させ、モータを回転させる電気回路を内蔵している。また、基板１２上には、噴霧動作の待機中であることを示す表示装置として、ＬＥＤ１５が固定されると共に、噴霧時間間隔を設定する設定するスライドスイッチ１６が固定されている。電池ホルダ１３は、単３型の電池１７を２本直列に挿入できるタイプのものを使用しているが、このタイプに限られるものではなくボタン電池等、適宜の形態のものを使用できる。また、スイッチもレバー式に限られず、スライド式、プッシュ式等、適宜のものを使用できる。
【００１７】
つぎに、機構部２０について詳細に説明する。機構部２０は上板２１と、下板２２との２段構成となっており、上板２１と下板２２とは複数の連結柱２３で間隔を有して連結固定される。上板２１および下板２２はプラスチックで形成され、上板２１は平面形状が円形の一部を直線で切り取った形状をしており、円形部の直径はエアゾール缶１の外周の直径より小さく設定され、下面側に後述する減速機構を構成する減速輪列を固定するための軸受部や凹部が形成されている。
【００１８】
下板２２は下方にエアゾール缶１への取付部として、圧着リング部３の外周を包囲する円周壁部２４を備えており、この円周壁部はエアゾール缶１の噴霧ノズル５および噴霧治具６が通過できる切欠部２５を有している。これにより、噴霧ノズル５および噴霧治具６を下板２２の中心部まで切欠部２５を通して受け入れることができる。円周壁部２４は、圧着リング部３を囲むように断面形状は逆Ｌ字状をしており、円周壁部２４内に３つの取付爪２６が形成されている。取付爪２６は、下板２２と一体的に形成され、エアゾール缶１の圧着リング部３の段差部３ａに外側から係合する爪部２６ａが内側に向けて突出し、この爪部が下板２２から下方に延出する基部２６ｂの上部に形成されており、基部２６ｂは外側に湾曲することができ圧着リング部３の段差部３ａに爪部２６ａが係合する構成となっている。
【００１９】
機構部２０は、上板２１に固定されたモータ３０と、モータの回転を減速する減速輪列３１と、減速されて回転する駆動カム３２とを備えており、駆動カム３２にはエアゾール缶１の噴霧ノズル５を押し込む突部３３が円周状に形成されている。モータ３０は扁平形状で噴霧ノズル５と平行の回転軸を有し、駆動カム３２は水平方向に回転するもので、突部３３は垂直方向下方に突出している。
【００２０】
図６は減速輪列を示す底面図であり、減速輪列３１は上板２１と下板２２の間に配置され、モータ３０の回転軸に固定された小歯車３１ａと、３つの減速歯車３１ｂ〜３１ｄと、１つの伝達歯車３１ｅとを備えている。これらの減速歯車、伝達歯車から構成される減速輪列３１により駆動カム３２の外周の従動歯車３２ａが減速されて回転される構成となっており、駆動カム３２は噴霧ノズル５と平行な垂直方向の回転軸を中心として回転される。この実施形態ではモータ３０は直流の小型モータが使用されている。
【００２１】
図７は駆動カムを示す正面図、背面図、断面図およびカム線図であり、駆動カム３２は、従動歯車３２ａと一体的に形成され、突部３３はエアゾール缶１の噴霧ノズル５と間隔を有して対向する基準となる低レベルカム面３２ｂから突出するもので、噴霧ノズル５を直接的または間接的に押圧して内容物を噴霧させる高レベルカム面３３ａを備えており、駆動カム３２の回転方向において低レベルカム面から高レベルカム面への傾斜カム面３３ｂは緩やかな勾配に設定され、高レベルカム面から低レベルカム面への傾斜カム面３３ｃは比較的急な勾配に設定されている。低レベルカム面３２ｂ、高レベルカム面３３ａ、傾斜カム面３３ｂ，３３ｃは、駆動カム３２の回転軸を中心とする円周軌道上に形成されている。
【００２２】
駆動カム３２は、例えば５〜１０秒で１回転するように構成され、１回転で１噴霧動作を完了するように設定されている。この１回転させるタイミングにより噴霧間隔を設定でき、駆動カム３２の高レベルカム面３３ａの長さ、或いは回転速度により噴霧時間を設定できる構成となっている。前記の噴霧治具６の作動突部７が駆動カム３２の高レベルカム面３３ａ上に位置している間高レベルカム面が作動突部７を押圧し、回転移動するカム面の高低により作動突部７が押される構成となっている。このように、水平に回転する駆動カム３２の突部３３で噴霧治具６を押圧する構成により、機構部２０を扁平な薄型構成とすることができ、全高を低く構成することができる。噴霧ノズル５および噴霧治具６は下板２２の切欠部２５を通して機構部２０の中心部に進入でき、駆動カム３２の突部３３は機構部２０の中心において、噴霧治具６の作動突部７と対接する構成である。なお、駆動カムの１回転に要する時間は前記の時間に限らず任意に設定できる。
【００２３】
外装ケース部４０は、下方開口の円筒容器状をしており、前記の電源部１１および機構部２０を覆うものであり、電源部１１および機構部２０に被せて装着するもので、円筒部の外径はエアゾール缶１の外径と略一致している。外装ケース部４０は上部に電気ホルダ１３および電池１７の収容スペース４１が形成されており、基本形状の円筒状の外周面から突出しない形状をしている。なお、外装ケース部の上部に電池装着用に電池蓋を設けるように構成してもよく、電池が小型の場合は収容スペースを突出させる必要はない。
【００２４】
外装ケース部４０には、噴霧治具６を外部に突出させる開口部４２が形成されていると共に、電源スイッチ１４、ＬＥＤ１５、スライドスイッチ１６が露出する開口部が形成されている。電池ホルダ１３に電池を挿入するときは外装ケース部４０を外して上板２１上部の電池ホルダ１３を露出させ、例えば単３の電池１７を２本挿入してから外装ケース部４０を被せる。電池ホルダ１３は電源スイッチ１４用のスイッチレバーを備えており、このスイッチレバーは外装ケース部４０から上方に突出している。
【００２５】
前記のように構成された本実施形態の自動噴霧装置の動作について、以下説明する。例えば、エアゾール缶１の内容物を定期的に噴霧したいときには、自動噴霧装置１０をエアゾール缶１の上部に装着する。すなわち、図３に示すように外装ケース部４０の下部開口をエアゾール缶１の上部に位置させ、下板２２の切欠部２５に噴霧治具６を通して圧着リング部３の外周に円周壁部２４を位置させ、外装ケース部４０を下方に押圧する。この押圧により、円周壁部２４は圧着リング部３を包囲し、取付爪２６は外側に湾曲して爪部２６ａが段差部３ａに係合し、エアゾール缶１への自動噴霧装置１０の装着は完了する。このように装着操作は極めて容易に行うことができる。一般に、エアゾール缶は外径が異なる場合でも圧着リング部の形状は略同一であり、自動噴霧装置１は外径の異なるエアゾール缶へも容易に装着することができる。
【００２６】
このあと、内容物の噴霧方向を設定する。すなわち、図８に示すように、噴霧治具６を回転、或いは揺動させて方向を設定する。図８ａでは、噴霧パイプ部６ｄを矢印Ｘ方向に振らせて３６０度旋回させることができる。また、図８ｂに示すように、噴霧パイプ部６ｄを矢印Ｙ方向に揺動させて上下方向の任意の方向に噴霧させることができる。さらに、図８ｃ，ｄに示すように、噴霧パイプ部６ｄを水平状態として、矢印Ｚ方向に揺動させることで水平な任意の方向に噴霧させることができる。また、図示していないが噴霧パイプ部６ｄを傾斜した状態で揺動させることができ、この結果、噴霧方向を前方側のあらゆる方向に設定することが可能となる。
【００２７】
この装着状態においては、エアゾール缶１の噴霧ノズル５の方向と、モータ３０および駆動カム３２の回転軸方向とは同じ方向となり、平行状態となるため装置の薄型化を図ることができる。そして、エアゾール缶１の上部に自動噴霧装置１０が装着された状態は、図４に示すように同一外径で円柱状となり、設置スペースは大きくならず、エアゾール缶１の設置スペースと同じとなり、小さなスペースで設置できる。自動噴霧装置１０をエアゾール缶１から取外すときには、エアゾール缶１を片手で持ち、他方の手で上部の自動噴霧装置１０を持って僅かにひねると、取付爪２６は圧着リング部３の段差部３ａから容易に外れて自動噴霧装置１０を取外すことができる。電池ホルダ１３へ電池１７を収容するときは、外装ケース部４０を機構部２０から外して容易に行うことができる。
【００２８】
このようにしてエアゾール缶１の上部に装着した自動噴霧装置１０を作動させるときは、電源スイッチ１４を入れるとモータ３０が回転し、この回転は減速輪列３１を介して減速され、駆動カム３２を回転する。駆動カム３２は１回転すると停止するように設定されており、この１回転動作によりエアゾール缶の１噴霧動作を実行する。すなわち、駆動カム３２が回転すると、噴霧ノズル５上部の噴霧治具６の作動突部７と対向していた低レベルカム面３２ｂは回転移動し、作動突部７と上昇する傾斜カム面３３ｂとが対接して作動突部７を徐々に押圧する。傾斜カム面３３ｂが緩やかな勾配のため、モータ３０のトルクは少なくてすみ、小型のモータでも噴霧動作が可能となる。
【００２９】
そして、噴霧ノズル５が所定量押されたときに、内部の液体は内部の高圧ガスに押されて噴霧され、噴霧治具６の先端の噴霧パイプ部６ｄから噴霧される。作動突部７と駆動カム３２の高レベルカム面３３ａとが対接している間は噴霧が継続し、作動突部７が下降する傾斜カム面３３ｃを下り始め所定のレベルを通過すると噴霧は停止する。下降する傾斜カム面３３ｃが急勾配であるため、噴霧の停止は速やかに行われる。この後、駆動カム３２は回転し、低レベルカム面３２ｂと作動突部７とが間隙を有して対向し、駆動カム３２は１回転して停止する。このように、自動噴霧装置１０は駆動カム３２の１回転で１回の噴霧動作を行う。
【００３０】
このようにして１回転動作が終了した後はＬＥＤ１５が点灯し、動作が継続中であることを表示する。基板１２上の電気回路により所定時間が経過すると、再度、モータ３０が自動的に回転され、前記と同様の駆動カム３２の１回転動作が行われ、噴霧動作を行ってからＬＥＤ１５が点灯する動作を繰り返す。この実施形態では電源スイッチ１４が切られるまで前記の動作を繰り返すように設定されているが、全体の動作を完了する時間を設定して、完了時間経過後に電源を自動的に切るようにしてもよい。噴霧時間間隔を設定するスライドスイッチ１６により、例えば５分に１回、あるいは１０分または３０分に１回噴霧するように自由に設定することができる。
【００３１】
噴霧時間間隔の設定は、前記のようなスライド式のスイッチによる設定に限られるものでなく、ロータリー式のスイッチや、ＤＩＰスイッチ等による設定でもよい。また、噴霧時間の設定は、駆動カム３２の突部３３の高レベルカム面３３ａの長さによる例を示したが、突部の長さを一定にした駆動カムにより噴霧開始時の設定のみを行ない、噴霧時間は電気的に設定するように構成してもよい。さらに、駆動カムには接点用の電極を形成し、この電極と接触する接片を備える構成で駆動カムの１回転を検出するように構成してもよい。
【００３２】
前記の構成の自動噴霧装置１０によれば、例えばトイレ等で、所定の時間間隔ごとに芳香剤を噴霧することが容易にでき、また野外で行動中に所定時間間隔ごとに殺虫剤や害虫の忌避剤を噴霧することが容易に行える。この自動噴霧装置１０は、エアゾール缶１と略同じ外径で、エアゾール缶１の上部に容易に装着することができ、自動噴霧装置１０の設置スペースを最小限とすることができる。さらに、エアゾール缶１からの取外しも容易で、エアゾール缶１が空になったときの交換も容易に行うことができる。
【００３３】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、減速輪列として平歯車の例を示したが、ウォーム歯車等の他の輪列で減速するように構成してもよい。モータとして直流モータの例を示したが、回転速度を変えることができるサーボモータや、ステッピングモータ等の他のモータでもよいことは勿論である。
【００３４】
また、噴霧ノズルを押圧する駆動カムは１回転すると停止する構成となっており、この構成として電気回路的に１回転を検出する構成としたが、例えば駆動カムに突起を形成し、この突起をセンサやマイクロスイッチで検出して１回転後に停止するように機械的に構成してもよい。自動噴霧装置をエアゾール缶に装着する取付爪は圧着リング部の外側の段差部に係合する例を示したが、内側から係合して装着するように構成してもよい。本発明は、エアゾール缶に限らず、各種のスプレー缶にも適用できることは勿論であり、内容物は液体に限らない。
【図面の簡単な説明】
【００３５】
【図１】（ａ）はエアゾール缶の要部斜視図、（ｂ）は（ａ）の要部断面図、（ｃ）は噴霧治具を取付けた状態の要部斜視図。
【図２】本発明に係るエアゾール缶の自動噴霧装置の一実施形態を示し、（ａ）は正面図、（ｂ）は側面図、（ｃ）は平面図。
【図３】図２の自動噴霧装置をエアゾール缶から外した状態の内部構造を示す要部斜視図。
【図４】図２の自動噴霧装置をエアゾール缶に装着した状態の斜視図。
【図５】図２の自動噴霧装置をエアゾール缶に装着した状態の内部構造を示す要部断面図。
【図６】図２の自動噴霧装置の減速輪列を示す下板を外した状態の底面図。
【図７】（ａ）は駆動カムの正面図、（ｂ）は背面図、（ｃ）は（ａ）のＡ−Ａ線断面図、（ｄ）はカム線図。
【図８】噴霧治具により噴射方向を変更する状態を示し、（ａ）は要部正面図、（ｂ）は要部側面図、（ｃ）は他の状態の要部正面図、（ｄ）は（ｃ）の要部平面図。
【符号の説明】
【００３６】
１：エアゾール缶、３：圧着リング部、３ａ：段差部、５：噴霧ノズル、６：噴霧治具、７：作動突部、１０：自動噴霧装置、１１：電源部、１７：電池、２０：機構部、２１：上板、２２：下板、２６：取付爪、３０：モータ、３１：減速輪列、３２：駆動カム、３２ｂ：低レベルカム面、３３：突部、３３ａ：高レベルカム面、３３ｂ，３３ｃ傾斜カム面、４０：外装ケース部
【図１】
2005081223.tif 000003
【図２】
2005081223.tif 000004
【図３】
2005081223.tif 000005
【図４】
2005081223.tif 000006
【図５】
2005081223.tif 000007
【図６】
2005081223.tif 000008
【図７】
2005081223.tif 000009
【図８】
2005081223.tif 000010